(57)【特許請求の範囲】
【請求項１】
基台部と、該基台部に回転可能に設けられる表示部と、カメラ部と、該カメラ部を固定する操作部と、前記表示部の角度を固定する固定部を備え、前記固定部による固定を解除し得る様に、かつ前記表示部の角度調整を任意に行い得る様に、かつ該角度調整とは独立して、前記カメラ部の角度調整を任意に行い得る様に、前記操作部は単一に構成された事を特徴とする表示装置。
【発明の詳細な説明】
【０００１】
【発明の属する技術分野】
本発明は表示装置に関する。
【０００２】
【従来の技術】
従来、この種の装置は例えば特開平５−３０５０２号公報に示されている。この公報によると、カメラ部と、表示部と、立設部と、基台部を備えたテレビ電話機が示されている。そして、カメラ部の角度を調整する調整部と、表示部の角度を調整する調整部が独立して設けられている。
【０００３】
【発明が解決しようとする課題】
この様に従来の装置では、使用者が自分の好む角度にて表示部の配置角度を変えた場合、それとは異なる位置にある調整部に於て、カメラ部の配置角度を調整する必要があり、手間がかかる第１の欠点がある。
【０００４】
また従来の装置では、表示部を軸支する軸の周囲に、表示部の角度を維持する維持部があるが、使用者が表示部を所望の角度に設定しても、維持部の復元（スプリングバック）により所望の角度からずれる第２の欠点がある。この欠点を解消するために、本発明者は表示部の角度を固定する固定部を設けた。しかし上記固定を解除するために、上記調整部とは別の位置に解除ボタンが必要となり、解除操作に手間がかかる第３の欠点がある。
【０００５】
故に、本発明はこの様な従来の欠点を考慮し、表示部の角度を正確に固定し、表示部の角度固定解除と表示部の角度変更とカメラ部の角度変更の各操作をし易い表示装置を提供する。
【０００６】
【課題を解決するための手段】
上記課題を解決するために、請求項１の本発明では、基台部と、該基台部に回転可能に設けられる表示部と、カメラ部と、該カメラ部を固定する操作部と、前記表示部の角度を固定する固定部を備え、前記固定部による固定を解除し得る様に、かつ前記表示部の角度調整を任意に行い得る様に、かつ該角度調整とは独立して、前記カメラ部の角度調整を任意に行い得る様に、前記操作部は単一に構成された。
【００１２】
【発明の実施の形態】
図１ないし図６に従い、本発明の実施の形態に係る表示装置１を以下に説明する。図１は表示装置１が水平面２に載置された時の斜視図、表示装置１を垂直面３に載置した時の斜視図、図３は表示装置１の要部断面斜視図、図４は表示装置１の側面断面図、図５は図４のＡＡ断面図、図６は表示装置１の要部斜視図である。
【００１３】
これらの図に於て、基台部４は例えばプラスチックから成り、箱状に形成され立設部５を固定している。また、基台部４と立設部５とを一体的に構成しても良い。立設部５は例えばプラスチックから成り、軸６は立設部５に配置され、表示部７は軸６に軸支されている（図４参照）。この様に、表示部７は軸６を支点として、回転可能に設けられている。また必要に応じて、軸６を基台部４に設けても良い。この様にして、表示部７は、立設部５を介して、又は立設部５を介さずに基台部４に回転可能に設けられている。
【００１４】
表示部７は例えば液晶表示装置から成る。表示部７は例えば液晶パネル８と、それを覆う箱体９等から構成されている。箱体９は例えば、前板１０と後板１１と仕切板１２等から成る。前板１０は開口が形成され、液晶パネルの前側に位置し、後板１１は開口部１３が形成され、前板１０とつながって形成されている。
【００１５】
仕切板１２は、液晶パネル８と後板１１との中間に位置し、縦方向に、所定の間隔にて、複数の孔１４が形成されている。箱体９の上部の適所に、凹部１５が形成されている。
【００１６】
基台部４の表面に、テンキー等から成る操作キー部１６が設けられている。基台部４の内部には、外部から入力されるテレビ信号を画像信号に変換する回路基板と、送受信制御回路等の電話機能を有する電話部１７が配置されている。基台部４の前側に形成されたスピーカ用孔１８の奥側には、スピーカ（図示せず）が配置され、表示部７の前側に形成されたマイク用孔１９の奥側には、マイク（図示せず）が配置されている。
【００１７】
操作部２０は例えば、固定体２１と可動体２２とバネ２３と第１片２４と第２片２５等から構成されている。固定体２１は正面から見れば（図１参照）横方向に延びた長尺状であり、断面して見れば（図３参照）、略逆コ字状に形成されている。固定体２１の適所に、中空のボス部が形成され、バネ２３の１端は、上記中空部の底面に当接している。
【００１８】
第１片２４は、固定体２１の内面に対し略直角に位置する様に、上記内面に固定されている。第１片２４は、固定体２１と一体的に形成されても良い。第１片２４の適所に孔が形成され、軸２６は上記孔に挿入されている。第１片２４の先端近傍には、第１突起２７が形成されている。第１突起２７は例えば、Ｂ１方向（図５参照）に突出する様に、山型になめらかなカーブにて形成されている（図５では簡単のために、長方形状に図示している）。
【００１９】
可動体２２は裏面から見れば（図１参照）、横方向に延びた長尺状であり、断面して見れば（図３参照）、略コ字状に形成されている。可動体２２の適所に、中空のボス部が形成され、バネ２３の他端は、上記中空部の底面に当接している。可動体２２の上部は鉤状に形成され、この鉤部は固定体２１の縁に形成された鉤部に係合している。
【００２０】
第２片２５は、可動体２２の内面に対し略直角に位置する様に、上記内面に固定されている。第２片２５は、可動体２２と一体的に形成されても良い。第２片２５の適所に孔が形成され、軸２６は上記孔に挿入されている。第２片２５の適所に第２突起２８が形成されている。第２突起２８は例えば、Ｂ２方向（図５参照）に突出する様に形成されている。そして。第２突起２８はＣ１方向（図３参照）に突出距離が小さく、Ｃ２方向に進む程、突出距離が大きくなる様に形成されている。
【００２１】
そして、可動体２２が操作されていない（力が加えられていない）時は、第２突起２８はＣ１Ｃ２方向に於て最下点にある。また第１突起２７と第２突起２８は当接すべく配置されている。従って、上記当接点に於て、第２突起２８の突出距離Ｄは最小であり、この時、第１片２４は固定体２１の内面に略直角な形状を維持されている（図５参照）。これらの部品にて操作部２０が構成されている。
【００２２】
操作部２０は箱体９に形成された凹部１５に配置されている。軸２６は表示部７の横方向に延びる様に、軸２６の両端は表示部７に形成された孔（図示せず）に固定されている。また、軸２６の中間部は、第１片２４に形成された孔と、第２片２５に形成された孔に挿入されている。
【００２３】
その結果、操作部２０は軸２６を支点として回転できる。即ち、軸２６は表示部７に設けられ、操作部２０は表示部７に対し回転可能になるべく、軸２６に軸支されている。カメラ部２９は例えばレンズを組合せたものや、ＣＣＤ等から成り、操作部２０の前面に位置する様に、操作部２０の適所に固定されている。
【００２４】
固定部３０は例えば、係合体３１と、支持体３２と、軸３３と、バネ３４等から構成されている。係合体３１は例えば、第１突出部３５と、第２突出部３６と垂直部３７と、第３突出部３８と、第１係合部３９等から構成されている。
【００２５】
第１突出部３５はＣ１方向に突出し（図３参照）、その１側面は第１片２４の１側面が当接している（図５参照）。第２突出部３６は上部水平部を介して第１突出部３５につながって形成され、Ｃ２方向に突出している。第２突出部３６は、箱体９の上部に形成された孔に挿入されている。
【００２６】
垂直部３７はＣ１Ｃ２方向に延び、その先端は上記上部水平部につながって形成されている。第３突出部３８はＣ２方向に突出し、箱体９の下部に形成された孔に挿入されている。第１係合部３９は、所定の間隔をおいてＥ１方向に突出し縦方向（Ｃ１Ｃ２方向）に整列して形成された複数の突出体であり、垂直部３７につながって設けられたものである（図３参照）。
【００２７】
この様な構成により、複数の第１係合部３９を有する係合体３１は表示部７に設けられ、第２突出部３６および第３突出部３８を支点として、Ｆ１Ｆ２方向に回転可能に構成されている（図５参照）。
【００２８】
支持体３２は例えば板状に形成され、根元近傍に孔が形成されている。先端近傍には、例えば切欠部から成る第２係合部４０が形成されている。軸３３の両端は基台部４に設けられた孔（図示せず）に固定され、軸３３の中間は支持体３２に形成された孔に挿入されている。
【００２９】
バネ３４は、支持体３２と基台部４との間に配置され、支持体３２をして常時Ｇ１方向に引っ張る力を与える。この様に、支持体３２は第２係合体４０を有しかつ基台部４に軸支され、Ｇ１Ｇ２方向に回転できる様に構成されている。
【００３０】
以上の部品により、表示装置１が構成されている。また、基台部４の適所に孔（図示せず）を設け、上記孔を介して、壁等の垂直面３にビス等を締結し、表示装置１を垂直面３に取付ける事ができる（図２参照）。また上述の様に、電話部１７等を設ける事により、表示装置１をテレビ電話機として用いる事が出来る。
【００３１】
次に、図１ないし図１０に従い、表示装置１の動作を説明する。図７は表示装置１の要部断面斜視図（操作部２０が操作された状態）、図８は図７のＡＡ断面図図９は表示装置１の要部斜視図、図１０は表示装置１の側面断面図（操作部２０が操作された状態）である。
【００３２】
最初に、図１ないし図６に従い、表示部７が固定部３０により固定されている時の表示装置１を説明する。操作部２０の可動体２２が使用者により操作されない（力が加わらない）時、第２片２５の突出距離Ｄは最小である（図５参照）。その結果、第１片２４および係合体３１（第１突出部３５）は固定体２１の内面に対し、略直角な方向に位置する。
【００３３】
この状態に於て、係合体３１に設けられた第１係合部３９は、支持体３２に設けられた第２係合部４０（孔）の位置からずれた肉厚部４１に当接し、係合している。この時、肉厚部４１は仕切板１２にも当接しており、Ｃ１Ｃ２方向に移動できないロック（固定）状態となっている（図６参照）。
【００３４】
この様に、固定部３０は、表示部７（仕切板１２を有する）を固定する。即ち所定の第１係合部３９と第２係合部４０（上記説明では、肉厚部４１）を係合させる事により、表示部７は所定の角度（上記説明では、基台部４に対して略９０度の取付角度）にて固定される。
【００３５】
次に、図７ないし図９に従い、表示部７が固定部３０による固定を解除される状態を説明する。操作部２０の可動体２２が、使用者により操作される（力が加えられる）と、可動体２２は軸２６を支点として、反時計回りに回転する（図７参照）。その結果、軸２６よりも右側に位置し、かつ可動体２２の第２片２５に形成された第２突起２８は上方向（Ｃ１方向）へ移動する。
【００３６】
それ故、固定体２１の第１片２４に形成された第１突起２７と当接する第２突起２８の部分は下の方（Ｃ２方向）の部分である。ところが、第２突起２８はＣ２方向に進む程、突出距離Ｄ（図８参照）が大きくなる様に形成されている。従って、可動体２２が最大に押込まれると、突出距離Ｄは最大となる。
【００３７】
この時、第２突起２８に当接する第１突起２７は押込まれて、Ｂ２方向へ移動し、固定体２１の第１片２４はＢ２方向へ弓状に変形する。第１片２４の１側面に当接している第１突出部３５は、第２突出部３６を支点として、Ｆ２方向へ傾く。
【００３８】
そして、係合体３１は第２突出部３６を支点として、所定の角度だけＦ２方向へ回転する（図９参照）。その結果、係合体３１に形成された第１係合部３９は、支持体３２の肉厚部４１から第２係合部４０の位置へ移動する。それ故に、第１係合部３９は第２係合部４０（肉厚部４１）の孔に位置し、この孔を介して、Ｃ１Ｃ２方向に自由に移動できる。
【００３９】
即ち、操作部２０の可動体２２が操作されると（例えば押込まれる）と、可動体２２に連動する係合体３１が移動し（Ｆ２方向へ少し回転し）、固定部３０による固定が解除され、係合体３１に連動する表示部７はＧ１Ｇ２方向へ、自由に回転できる。
【００４０】
次に、図１０に従い、表示部７およびカメラ部２９の角度を変更する状態を説明する。上述の様に、可動体２２が押込まれると、固定部３０による固定が解除され、第１係合部３９は第２係合部４０の孔に位置している。そして例えば、使用者が操作部２０を掴んだまま、操作部２０を後方（Ｈ１方向）へ倒すと、第２係合部４０の孔は、元の第１係合部３９よりも数個上方に位置する新しい第１係合部３９ａの下へ位置する。この様に、使用者は複数個の第１係合部の中で、任意のもの（例えば３９ａ）を選択する事により、使用者が希望する取付角度にて表示部７の角度を変更し、設定する事が出来る。
【００４１】
更に、使用者が操作部２０を掴んだまま、操作部２０をＨ１方向又はＨ２方向へ力を加える事により、操作部２０は軸２６を支点として、Ｈ１又はＨ２方向へ所定角度だけ回転する。その結果、操作部２０に固定されたカメラ部２９（図１０では図示せず）は、使用者が希望する取付角度にて、角度が変更され、設定される。
【００４２】
この様に、固定部３０による固定を解除し得る様に、かつ表示部７の角度を変更し得る様に、かつカメラ部２９の角度を変更し得る様に、操作部２０は構成されている。
【００４３】
次に、使用者が可動体２２から手を離すと、バネ２３の力により、可動体２２は元の位置に復帰する。そして、可動体２２の第２片２５は元の位置に復帰する（図３参照）。この時、第２片２５の第２突起２８の突出距離Ｄは最小となり、変形した第１片２４は復元力により元の位置に復帰する（図５参照）。
【００４４】
その結果、第１突起２７に当接する第１突出部３５は元の位置に復帰し、係合体３１も元の位置に復帰し、第１係合部３９ａは、支持体３２に設けられた第２係合部４０の位置からずれた肉厚部に当接し、係合する。この様に、表示部７は固定部３０により固定され、表示部７は所定の角度に維持され、カメラ部２９は所定の角度に維持される。
【００４５】
【発明の効果】
上述の様に請求項１の本発明では、基台部と、基台部に回転可能に設けられる表示部と、カメラ部と、カメラ部を固定する操作部と、表示部の角度を固定する固定部を備え、固定部による固定を解除し得る様に、かつ表示部の角度調整を任意に行い得る様に、かつ該角度調整とは独立して、カメラ部の角度調整を任意に行い得る様に、操作部は単一に構成された。この構成により、表示部の固定解除操作と、表示部の角度調整と、カメラ部の角度調整を、使用者の手の位置を変更せずに、単一の操作部にて行える。故に、操作の手間がかからず、操作性が格段に向上する。更に、表示部の角度調整とは独立して、カメラ部の角度調整を行なえるので、表示部の最適角度と、カメラ部の最適角度が得られる。
【図面の簡単な説明】
【図１】本発明の実施の形態に係る表示装置１が水平面２に載置された時の斜視図である。
【図２】前記表示装置１が垂直面３に載置された時の斜視図である。
【図３】前記表示装置１の要部断面斜視図である。
【図４】前記表示装置１の側面断面図である。
【図５】図４のＡＡ断面図である。
【図６】前記表示装置１の要部斜視図である。
【図７】前記表示装置１の要部断面斜視図（操作部２０が操作された状態）である。
【図８】図７のＡＡ断面図である。
【図９】前記表示装置１の要部斜視図（操作部２０が操作された状態）である。
【図１０】前記表示装置１の側面断面図（操作部２０が操作された状態）である。
【符号の説明】
４  基台部
７  表示部
２０  操作部
３０  固定部
【図１】
0003668039.tif 000002
【図２】
0003668039.tif 000003
【図３】
0003668039.tif 000004
【図４】
0003668039.tif 000005
【図５】
0003668039.tif 000006
【図６】
0003668039.tif 000007
【図７】
0003668039.tif 000008
【図８】
0003668039.tif 000009
【図９】
0003668039.tif 000010
【図１０】
0003668039.tif 000011